(57)【特許請求の範囲】
【請求項１】
磁心の外周に巻線が数回巻かれた高周波チョークコイルにおいて、
前記巻線は高周波回路接続端側が二ターン以上密巻きされ、アース接続端側がほぼ均等を含む均等間隔で巻かれ、高周波回路接続端側が高周波回路に接続され、アース接続端側が高周波的にアースに接地されるものであり、
ダンパー抵抗器が前記巻線のアース接続端側に当該巻線と並列に接続され、
結合線が前記磁心の外周に巻かれ、その一端側がアースに接地され、他端側がアースに接地されずに浮かされて巻線と電磁結合できるようにして、前記巻線に伝送される高周波信号中の特定周波数帯域の共振信号が前記結合線を通してアースに接地されるようにした、
ことを特徴とする高周波チョークコイル。
【請求項２】
請求項１記載の高周波チョークコイルにおいて、
結合線が巻線と絶縁されている、
ことを特徴とする高周波チョークコイル。
【請求項３】
高周波回路を備えたＣＡＴＶ機器において、
請求項１又は請求項２記載の高周波チョークコイルが、高周波回路の入力端と出力端との間に当該高周波回路と並列に設けられ、
高周波チョークコイルの巻線の高周波回路接続端側が前記高周波回路に接続され、アース接続端側が高周波的にアースに接地され、
高周波チョークコイルの磁心の外周に巻かれた結合線の一端側がアースに接地され、他端側がアースに接地されずに浮かされている、
ことを特徴とするＣＡＴＶ機器。
【請求項４】
高周波回路を備えたＣＡＴＶ機器において、
ＣＡＴＶ機器が高周波回路と分岐側回路を備えた分岐器であり、
請求項１又は請求項２記載の高周波チョークコイルが、高周波回路の入力端と出力端との間に当該高周波回路と並列に設けられ、
高周波チョークコイルの巻線の高周波回路接続端側が前記高周波回路に接続され、アース接続端側が高周波的にアースに接地され、この高周波チョークコイルの磁心の外周に巻かれた結合線の一端側がアースに接地され、他端側がアースに接地されずに浮いており、
請求項１又は請求項２記載の高周波チョークコイルが、分岐側回路の入力端と分岐側回路の分岐端間に前記高周波回路と並列に設けられ、この高周波チョークコイルの磁心に巻かれた結合線のアース接続端側がアースに接地され、他端側がアースに接地されずに浮いている、
ことを特徴とするＣＡＴＶ機器。
【発明の詳細な説明】
【技術分野】
【０００１】
本発明は、ＣＡＴＶシステムをはじめとする共聴設備で用いられる高周波チョークコイルに関し、重畳して伝送される高周波信号と電源電流とを分岐（分離）するのに使用される高周波チョークコイルと、当該高周波チョークコイルが組み込まれたＣＡＴＶ機器に関するものである。
【背景技術】
【０００２】
ＣＡＴＶシステムは増幅器、ラインスプリッター、パワーインジェクター、タップオフ等の各種機器（以下、これらを「ＣＡＴＶ機器」と総称する）等を備え、これらが同軸ケーブルで接続される。これらＣＡＴＶ機器の動作に必要な電源電流（回路駆動用電源電流）は、同軸ケーブルに、テレビジョン信号（高周波信号）と重畳させて伝送し、分岐回路で高周波信号と分離してＣＡＴＶ機器に供給されている。図８（ａ）に示すものは増幅器、ラインスプリッター、パワーインジェクター等のＣＡＴＶ機器であり、高周波チョークコイルＬ１、Ｌ２と、コンデンサＣ１、Ｃ２で構成される。入力端ＩＮからの入力信号のうち、直流又は低周波である電源電流は、電流阻止コンデンサＣ１、Ｃ２で阻止されて高周波回路に流れず、チョークコイルＬ１、Ｌ２を通過して出力端ＯＵＴに出力され、出力端ＯＵＴに接続されている同軸ケーブルに供給されて次のＣＡＴＶ機器に供給される。他方、高周波信号は、チョークコイルＬで阻止されてコンデンサＣ１、Ｃ２を通過して、出力端ＯＵＴに出力される。
【０００３】
図８（ｂ）に示すものは、ＣＡＴＶ機器が分岐器等の場合であり、高周波チョークコイルＬ１、Ｌ２、Ｌ３、Ｌ４、とコンデンサＣ１、Ｃ２、Ｃ３、Ｃ４、Ｃ５で構成される。この場合も入力端ＩＮからの入力信号のうち、直流又は低周波である電源電流は、電流阻止コンデンサＣ１、Ｃ２で阻止されて高周波回路に流れず、チョークコイルＬ１、Ｌ２を通過して出力端ＯＵＴに出力され、出力端ＯＵＴに接続されている同軸ケーブルに供給されて次のＣＡＴＶ機器に供給される。他方、高周波信号はチョークコイルＬ１、Ｌ２で阻止されてコンデンサＣ１、Ｃ２を通過して、出力端ＯＵＴに出力される。直流又は低周波である電源電流は電流阻止コンデンサＣ１、Ｃ４で阻止されて高周波回路に流れず、チョークコイルＬ１、Ｌ２を通過して出力端ＯＵＴに出力され、出力端ＯＵＴに接続されている同軸ケーブルに供給されて次のＣＡＴＶ機器に供給される。また、高周波チョークコイルＬ３、Ｌ４とコンデンサＣ1、Ｃ4で構成される分岐端ＢＲでは、直流又は低周波である電源電流は電流阻止コンデンサＣ１、Ｃ４で阻止されて高周波回路に流れず、チョークコイルＬ３、Ｌ４を通過して分岐端ＢＲに出力され、分岐端ＢＲに接続されている同軸ケーブルに供給されて次のＣＡＴＶ機器に供給される。他方、高周波信号はチョークコイルＬ３、Ｌ４で阻止されてコンデンサＣ１、Ｃ４を通過して、分岐端ＢＲに出力される。直流又は低周波である電源電流は電流阻止コンデンサＣ１、Ｃ４で阻止されて高周波回路に流れず、チョークコイルＬ3、Ｌ4を通過して分岐端ＢＲに出力され、分岐端ＢＲに接続されている同軸ケーブルに供給されて次のＣＡＴＶ機器に分岐される。
【０００４】
通常、高周波チョークコイルはインダクタンスを大きくするため棒状の磁心（通常フェライトコア）を用い、その外周に絶縁線を巻いてある。高周波チョークコイルには浮遊容量があるため、チョークコイル自体のインダクタンスＬと浮遊容量Ｃにより共振回路が構成され、その共振回路が同軸ケーブルで伝送される高周波信号の特定周波数付近で共振して現われ、高周波信号の伝送特性に悪影響を与える（入出力端間の高周波信号の損失が大きくなる）ことが知られている。この損失は、高周波回路による損失、コンデンサＣ１、Ｃ２による損失、チョークコイルＬによる損失の和である（特許文献１）。
【０００５】
前記問題を回避するため、チョークコイルにダンパー抵抗器を並列接続することが知られているが、ダンパー抵抗器を接続すると高周波信号の損失が増大するという難点がある。従来、この問題を解決する手段として、複数のコイルをフェライトコアの外周に間隔をあけて直列接続した分割コイルに抵抗性リングを接続したもの（特許文献１）や、分割コイルの巻き数を変えて夫々のコイルが異なる自己共振周波数を持たせて、これら自己共振周波数が、高周波チョークコイルの使用周波数帯域中で分散するように選定されたもの（特許文献２）が提案されている。特許文献２では、それら分割コイルの一部にダンパー抵抗器を並列接続することも提案されている。
【０００６】
ＣＡＴＶシステムでは、広い周波数範囲にわたって高周波信号を伝送する必要があるため、ＣＡＴＶ機器内で使用する高周波チョークコイルには、高周波信号の伝送特性に悪影響を与えない（部分共振がない、広帯域に亘って伝送損失が少ない）ことが要求される。
【先行技術文献】
【特許文献】
【０００７】
【特許文献１】特開平８−１７６３８号公報
【特許文献２】特開２００１−６０５２０号公報
【発明の概要】
【発明が解決しようとする課題】
【０００８】
本発明の解決課題は、高周波チョークコイルの自己共振（コイルの浮遊容量）による高周波信号の損失が少なく、広帯域化が可能な高周波チョークコイルと、当該高周波チョークコイルが組み込まれたＣＡＴＶ機器を提供することにある。
【課題を解決するための手段】
【０００９】
本発明の高周波チョークコイルは、磁心の外周に絶縁線（コイル用の巻線）が数回巻かれた高周波チョークコイルにおいて、前記巻線は高周波回路接続端側が二ターン以上密巻きされ、アース接続端側がほぼ均等を含む均等間隔で巻かれ、高周波回路接続端側が高周波回路に接続され、アース接続端側が高周波的（コンデンサを介して）にアースに接地されるものであり、ダンパー抵抗器が前記巻線のアース接続端側に当該巻線と並列に接続され、ジャンパー線（結合線）が前記磁心の外周に巻かれ、その一端側がアースに接地され、他端側がアースに接地されずに浮かされて巻線と電磁結合できるようにして、前記巻線に伝送される高周波信号中の特定周波数帯域の共振信号が前記結合線を通してアースに接地されるようにしたものである。
【００１０】
本発明の高周波チョークコイルは、前記高周波チョークコイルにおいて、結合線が巻線と絶縁されているものとすることもできる。
【００１１】
本発明のＣＡＴＶ機器は、高周波回路を備えたＣＡＴＶ機器において、前記高周波チョークコイルが、高周波回路の入力端と出力端との間に当該高周波回路と並列に設けられ、高周波チョークコイルの巻線の高周波回路接続端側が前記高周波回路に接続され、アース接続端側が高周波的にアースに接地され、高周波チョークコイルの磁心の外周に巻かれた結合線の一端側がアースに接地され、他端側がアースに接地されずに浮かされているものである。
【００１２】
本発明のＣＡＴＶ機器は、高周波回路を備えたＣＡＴＶ機器において、ＣＡＴＶ機器が高周波回路と分岐回路を備えた分岐器であり、前記高周波チョークコイルが、高周波回路の入力端と出力端との間に当該高周波回路と並列に設けられ、高周波チョークコイルの巻線の高周波回路接続端側が前記高周波回路に接続され、アース接続端側が高周波的にアースに接地され、この高周波チョークコイルの磁心の外周に巻かれた結合線の一端側がアースに接地され、他端側がアースに接地されずに浮いており、前記高周波チョークコイルが、分岐側回路の入力端と分岐側回路の分岐端間に前記高周波回路と並列に設けられ、この高周波チョークコイルの磁心に巻かれた結合線のアース接続端側がアースに接地され、他端側がアースに接地されずに浮いているものである。
【発明の効果】
【００１３】
本発明の高周波チョークコイル及びＣＡＴＶ機器には、次のような効果がある。
（１）ダンパー抵抗器をコイルに並列に接続しているので、チョークコイルの自己共振による周波数特性の損失悪化を抑えることができる。
（２）コイルの周囲に結合線を巻いてその一端をアースに接地してあるので、自己共振による共振信号が結合線と電磁結合してアースに接地されるため、高周波帯域の損失が低減（改善）されて広帯域化が可能になる。
（３）ダンパー抵抗器と結合線の双方を設けることにより、チョークコイルの自己共振による特性の悪化と高周波信号の損失が低減するという双方の課題が解決される。
【図面の簡単な説明】
【００１４】
【図１】本発明の高周波チョークコイルの一例を示す正面図。
【図２】本発明の高周波チョークコイルを組み込んだＣＡＴＶ機器の一例を示す結線図。
【図３】本発明の高周波チョークコイルを組み込んだＣＡＴＶ機器の他例を示す結線図。
【図４】ダンパー抵抗がある場合とない場合の周波数特性の比較図。
【図５】ダンパー抵抗があって、更にジャンパー線有りと無しの場合の周波数特性の比較図。
【図６】ジャンパー線の両端接地と片端接地の場合の周波数特性（全帯域）の比較図。
【図７】ジャンパー線の両端接地と片端接地の場合の周波数特性（低域部分）の比較図
【図８】（ａ）（ｂ）は従来のＣＡＴＶ機器の異なる例の説明図。
【発明を実施するための形態】
【００１５】
（高周波チョークコイルの実施形態）
本発明の高周波チョークコイル１の一例を、図面を参照して説明する。この実施形態では、高周波チョークコイル１をＣＡＴＶシステムで用いる場合を一例として説明するが、本発明の高周波チョークコイル１は、ＣＡＴＶシステム以外の共聴設備において使用することもできる。
【００１６】
図１に示す高周波チョークコイル１は、磁心２の外周に絶縁線（巻線）３がコイル状に巻回されてコイルが形成されている。この実施形態では、磁心２がフェライトコアであり、巻線３が絶縁線である。磁心２、巻線３には、これら以外のものを使用することができる。
【００１７】
巻線３は一端側（高周波回路接続側）７が二ターン密巻きされており、他端側（アース接続側）が均等（略均等を含む）間隔で１ターン巻きされている。巻線３の巻き方はこれ以外であってもよく、例えば、磁心２の全長に均一間隔で１ターン巻きしたもの、ランダムな間隔で巻いたもの、磁心２の全長に均一間隔で数ターンずつ密巻きしたの等であってもよい。
【００１８】
図１ではダンパー抵抗器５が高周波チョークコイル１のアース接続端４側に並列接続され、ジャンパー線（結合線）６を高周波チョークコイル１のアース接続端４側に巻いて、当該結合線６の片端部をアースに接続し、他端部（高周波回路（図２、図３）への接続側端部）を浮かせてある。この場合、結合線６は隣接する巻線３の間に配置して巻きを安定させてあるが、結合線６は巻線３の上に重ね巻きすることも、巻線３の上に襷掛けして巻くこともできる。ダンパー抵抗器５の抵抗値は高周波チョークコイル１の条件によっても異なるが数百Ω〜数キロΩ程度が適する。結合線６には非絶縁線の外周に樹脂チューブ（例えば、ポリウレタン製チューブ：絶縁チューブ）を被せたものを使用することも、高周波チョークコイル１の巻線３と同じものを使用することもできる。
【００１９】
結合線６は巻線３間に巻く（溝に沿わす）ことにより配線位置が安定し、巻線３と並行に配列することにより電磁結合し易くなって、高周波チョークコイル１の自己共振による共振信号をアースに確実に落すことができる。
【００２０】
結合線６の配置箇所は任意に変更することができるが、本件出願人の実験では、結合線６をコイル（巻線）のアース接続端４側に配線すると顕著な効果が認められた。結合線６は複数本配置することもできる。配置箇所は巻線３の外周所望箇所とすることができる。結合線６は二ターン以上巻くこともできる。いずれの場合も、結合線６は一端を接地し、他端を浮かしておくのがよい。結合線６を複数本配置した場合は、一部の結合線６は一端を接地し、他端を浮かしておき、他の結合線６は両端接地することもできる。
【００２１】
図２は高周波チョークコイルが組み込まれたＣＡＴＶ機器の一例である。ＣＡＴＶ機器用の電源電流は、テレビジョン信号などの高周波信号に重畳して伝送される。このうち、テレビ信号（高周波信号）は高周波チョークコイル１で阻止されてコンデンサＣ１、Ｃ２を通過し、電源電流（直流又は低周波）はコンデンサＣ１、Ｃ２で阻止されて高周波チョークコイル１を通過する。
【００２２】
図１のようにダンパー抵抗器５を接続することにより高周波領域への影響を低減することができる（図４）。図４に示すように、ダンパー抵抗器５を接続しない場合は、260MHz付近と460MHz付近（共振周波数部分）においてディップ（急峻な損失悪化）が生じるが、ダンパー抵抗器５を接続することによって、当該周波数付近でのディップが解消される。しかし、結合線６を配線せずに単にダンパー抵抗器５を接続しただけの場合は、図５に示すように1000MHz付近で損失が急激に増加する現象が見られる。これに対し、ダンパー抵抗器５を接続し、更に結合線６を配線してその一端端部又は両端端部を接地した場合は、1000MHz付近でも損失が増加することなく、低損失状態を維持しており、高周波信号の損失悪化を低減することがわかる。
【００２３】
本件発明者らの実験によれば、図１のように結合線６を巻き、その片端部をアースに接続し、他端部（高周波回路（図２、図３）への接続側端部）を浮かせることにより、結合線６の両端部を接地する場合よりも、伝送損失が低周波側では多くなるが、高周波回路側では少なくなり、広帯域に渡って伝送損失がほぼ一定（フラット）になる（安定する）ことが確認された（図６、図７）。
【００２４】
（ＣＡＴＶ機器の実施形態）
本発明のＣＡＴＶ機器の一例として増幅器、ラインスプリッター、パワーインジェクター等の一例を図２に、分岐器等の一例を図３に示す。図２は図８（ａ）に示すＣＡＴＶ機器に本発明の高周波チョークコイル１を組み込んだ場合である。図３は図８（ｂ）に示すＣＡＴＶ機器に本発明の高周波チョークコイル１を組み込んだ場合である。図２、図３の５が図１におけるダンパー抵抗器５、図２、図３の６が図1におけるジャンパー線（結合線）６である。いずれの場合も、ジャンパー線（結合線）６の一端６ａは接地してあるが、他端６ｂは接地することなく浮かせてある。
【符号の説明】
【００２５】
１    高周波チョークコイル
２    磁心
３    絶縁線（巻線）
４    アース接続端
５    ダンパー抵抗器
６    ジャンパー線（結合線）
６ａ  （結合線の）一端（接地側端）
６ｂ  （結合線の）他端
７    高周波回路接続側
Ｃ１〜Ｃ５    コンデンサ
Ｌ１〜Ｌ４    インダクタンス
【要約】      （修正有）【課題】自己共振による高周波信号の損失が少なく、広帯域化が可能な高周波チョークコイルとＣＡＴＶ機器を提供する。【解決手段】磁心２の外周に絶縁線３が数回巻かれた高周波チョークコイル１において、ダンパー抵抗器５が巻線のアース接地端４側に巻線と並列に接続され、結合線６が磁心の外周に巻かれ、結合線は片端部６ａがアースに接地され、高周波回路側端部６ｂは浮いた状態にして、巻線と結合線とが電磁結合することによって、巻線に伝送された高周波信号中の特定周波数帯域の共振信号が結合線を通してアースに接地される。【選択図】図１【図１】
0005764243.tif 000002
【図２】
0005764243.tif 000003
【図３】
0005764243.tif 000004
【図８】
0005764243.tif 000005
【図４】
0005764243.tif 000006
【図５】
0005764243.tif 000007
【図６】
0005764243.tif 000008
【図７】
0005764243.tif 000009